(57)【要約】【課題】筐体内のクリーン度を向上させることが可能な小型のディスク装置を提供する。【解決手段】  ほぼ密閉構造を有した筐体内に、ディスク状の記録媒体、駆動モータ、情報処理を行うヘッド、ヘッドを記録媒体に対して移動させるヘッドアクチュエータ、および呼吸フィルタ８２が設けられている。呼吸フィルタは、通気性を有しているとともに内部に収容部を形成した外皮８４と、収容部内に配設されているとともに、筐体の通気孔に連通した一端、および排気口を有した他端とを有し、収容部内を通る流通路を規定した内チューブ８６と、収容部内で内チューブの周囲に充填された捕集剤と、を備えている。【選択図】  図６
2006127674.tif 000002
【特許請求の範囲】
【請求項１】
ほぼ密閉構造を有しているとともに通気孔を有した筐体と、
前記筐体内に配設されたディスク状の記録媒体と、
前記筐体内に配設され、前記記録媒体を支持しているとともに回転させる駆動モータと、
前記記録媒体に対して情報処理を行うヘッドと、
前記筐体内に設けられ、前記ヘッドを移動自在に支持しているとともに前記ヘッドを前記記録媒体に対して移動させるヘッドアクチュエータと、
前記筐体内に配設された呼吸フィルタと、を備え、
前記呼吸フィルタは、通気性を有しているとともに内部に収容部を形成した外皮と、前記収容部内に配設されているとともに、前記筐体の通気孔に連通した一端、および排気口を有した他端とを有し、前記収容部内を通る流通路を規定した内チューブと、前記収容部内で前記内チューブの周囲に充填された捕集剤と、を具備しているディスク装置。
【請求項２】
前記筐体内に配設されているとともに、前記記録媒体の回転によって生じる空気流とほぼ平行に延びた捕獲面を有し、前記空気流に含まれる塵埃を捕獲する循環フィルタを備えているディスク装置。
【請求項３】
前記呼吸フィルタの外皮は、前記筐体の内面に固定されたベース部と、前記ベース部に固定され前記収容部を規定しているとともに通気性を有したカバー部と、有している請求項２に記載のディスク装置。
【請求項４】
前記循環フィルタは、前記呼吸フィルタのベース部に重ねて固定され、前記循環フィルタと一体的に形成されている請求項３に記載のディスク装置。
【請求項５】
前記循環フィルタは、前記呼吸フィルタのカバー部に重ねて固定され、前記循環フィルタと一体的に形成されている請求項３に記載のディスク装置。
【請求項６】
前記循環フィルタは、板状のベース材と、ベース材上に設けられ前記捕獲面を形成した繊維状の捕獲材と、を有している請求項２ないし５のいずれか１項に記載のディスク装置。
【請求項７】
前記循環フィルタは、前記捕獲面を形成した繊維状の捕獲材を有している請求項２ないし５のいずれか１項に記載のディスク装置
【請求項８】
前記筐体は、前記駆動モータ、記録媒体、およびヘッドアクチュエータが装着された第１シェルと、前記記録媒体の表面に対向した第２シェルとを備え、前記呼吸フィルタは、前記第２シェルの内面に固定され前記記録媒体の表面と対向している請求項１ないし７のいずれか１項に記載のディスク装置。
【請求項９】
前記呼吸フィルタは、前記記録媒体の中心部および前記ヘッドの移動領域を除いて、前記記録媒体の表面と対向して配設されている請求項８に記載のディスク装置。
【請求項１０】
前記筐体は、長手方向の寸法が約３２ｍｍ、幅方向の寸法が約２４ｍｍに形成されている請求項１ないし９のいずれか１項に記載のディスク装置。
【請求項１１】
前記記録媒体は、直径０．８５インチに形成されている請求項１ないし１０のいずれか１項に記載のディスク装置。
【発明の詳細な説明】
【技術分野】
【０００１】
この発明は、記録媒体としてのディスクを有したディスク装置に関し、特に、筐体内に配設されたフィルタを有するディスク装置に関する。
【背景技術】
【０００２】
近年、コンピュータの外部記録装置や画像記録装置として磁気ディスク装置、光ディスク装置などのディスク装置が広く用いられている。  
一般に、磁気ディスク装置、例えば、ハードディスクドライブ（以下、ＨＤＤと称する）は、磁気ディスク、磁気ディスクを回転駆動するスピンドルモータ、磁気ディスクに対してデータのリード／ライトを行う磁気ヘッド、磁気ヘッドを支持および移動させるヘッドサスペンションアッセンブリ、このヘッドサスペンションアッセンブリを駆動するＶＣＭ等を備え、これらはほぼ密閉構造の筐体に収容されている。このような密閉構造とした場合、リード／ライト時、磁気ディスクに対する磁気ヘッドの浮上動作を安定させることができるとともに、筐体内への塵、挨等の混入を防止することができる。
【０００３】
このような密閉構造とした場合、リード／ライト時、磁気ディスクに対する磁気ヘッドの浮上動作を安定させることができるとともに、筐体内への塵、挨等の混入を防止することができる。
【０００４】
上記のように筐体を略密閉構造とした場合、環境温度の急激な変化により、ＨＤＤ内の気圧と外気の空気圧とに差異が生じ、筐体の破損を招く恐れがある。その対策として、筐体には筐体の内外を連通するための微小な通気孔が設けられ、この通気孔には外気からの塵挨、湿気、ガス成分の侵入を防ぐ呼吸フィルタが取り付けられている（例えば、特許文献１参照）。
【０００５】
一般に、この種の呼吸フィルタは活性炭を用いて構成されている。そして、活性炭は、湿気を吸収するとともに、酸アルカリの中和（イオン）反応を用いてガス成分を捕集する仕組みになっている。例えば、ＨＤＤの内容積を１５ｃｍ３とし、ＨＤＤ稼動時に約１０℃の温度変化が発生したとすると、シャルルの法則に従い、約０．５ｃｍ３の外気が通気孔を通って筐体内に流入する。そして、流入する外気は、呼吸フィルタを通過し、外気中の塵挨、湿気、ガス成分は呼吸フィルタによって捕集される。
【０００６】
また、筐体内には、可動部の稼動によって筐体内に発生した塵埃を捕獲する循環フィルタが配設されている。通常、循環フィルタは、ディスクの回転によって生じる空気流と直交する向きで設けられている。
【特許文献１】特開平７−２５４２６７号公報
【発明の開示】
【発明が解決しようとする課題】
【０００７】
近年、磁気ディスク装置は、より多種の電子機器、特に、より小型の電子機器の記録装置として用いることができるように、一層の小型化が進められている。例えば、ディスクの直径が１．８インチ以下の磁気ディスク装置では、筐体の小型化に伴い、筐体内部の設置スペースも小さくなっている。そのため、筐体内部に呼吸フィルタや循環フィルタを設置することが困難になりつつある。特に、呼吸フィルタは、活性炭の量が多いほど、湿気、ガス成分の捕獲能力が高いが、設置スペースの減少に伴い、呼吸フィルタを小型化する必要があり、筐体内部をクリーンに保つ上で障害となる。また、呼吸フィルタおよび循環フィルタの両方を設置する場合、大きな設置スペースを必要とするとともに、装置の組立ても面倒となる。
【０００８】
この発明は以上の点に鑑みなされたもので、その目的は、筐体内のクリーン度を向上させることが可能な小型のディスク装置を提供することにある。
【課題を解決するための手段】
【０００９】
上記目的を達成するため、この発明に係るディスク装置は、ほぼ密閉構造を有しているとともに通気孔を有した筐体と、前記筐体内に配設されたディスク状の記録媒体と、前記筐体内に配設され、前記記録媒体を支持しているとともに回転させる駆動モータと、前記記録媒体に対して情報処理を行うヘッドと、前記筐体内に設けられ、前記ヘッドを移動自在に支持しているとともに前記ヘッドを前記記録媒体に対して移動させるヘッドアクチュエータと、前記筐体内に配設された呼吸フィルタと、を備え、  
前記呼吸フィルタは、通気性を有しているとともに内部に収容部を形成した外皮と、前記周要部内に配設されているとともに、前記筐体の通気孔に連通した一端、および排気口を有した他端とを有し、前記収容部内を通る流通路を規定した内チューブと、前記収容部内で前記内チューブの周囲に充填された捕集剤と、を具備している。
【発明の効果】
【００１０】
この発明によれば、筐体内のクリーン度を向上させることが可能な小型のディスク装置を提供することができる。
【発明を実施するための最良の形態】
【００１１】
以下図面を参照しながら、この発明の第１の実施形態に係るハードディスクドライブ（以下ＨＤＤと称する）について詳細に説明する。  
図１および図２に示すように、ＨＤＤは後述する種々の部材が収納されたほぼ矩形箱状の筐体１０と、筐体１０の外面に重ねて設けられた矩形状の制御回路基板１２と、を備えている。筐体１０および制御回路基板１２は、例えば、長さＬが３２ｍｍ、幅Ｗが２４ｍｍに形成され、筐体および制御回路基板を含む厚さＴが３ないし６ｍｍに形成されている。厚さＴは、収納するディスクの枚数に応じて、例えば、３．３ｍｍあるいは５ｍｍ程度に設定されている。
【００１２】
図２ないし図５に示すように、筐体１０は、互いにほぼ等しい寸法に形成された第１シェル１０ａおよび第２シェル１０ｂにより構成されている。第１および第２シェル１０ａ、１０ｂは、それぞれ金属によりほぼ矩形状に形成され、周縁部には側壁が立設されている。第１および第２シェル１０ａ、１０ｂは、その周縁部同士が対向した状態で、互いに向い合わせて配置されている。第１および第２シェル１０ａ、１０ｂの周縁部には帯状のシール材１６が巻き付けられ、このシール材により周縁部が互いに接続されているとともに、周縁部間の隙間がシールされている。これにより、矩形箱状の筐体１０が構成されている。
【００１３】
第１シェル１０ａの底面は矩形状の実装面１１を形成している。実装面１１の角を含む筐体１０の４つの角は円弧状に丸めて形成されている。これにより、筐体１０の周縁部に巻装されたシール材１６が、筐体の角で損傷することを防止しているとともに、シール材の浮きによる気密性の悪化を防止している。
【００１４】
筐体１０内において、筐体の周縁部には複数の支持ポスト１８が立設されている。各支持ポスト１８は、第１シェル１０ａの内面に固定された基端を有し、第１シェルの内面に対してほぼ垂直に立設されている。各支持ポスト１８の位置で、実装面１１にねじ孔が形成され、支持ポスト内まで延びている。
【００１５】
筐体１０内には、情報記録媒体として機能する例えば、直径０．８５インチの磁気ディスク２０、この磁気ディスクを支持および回転させる駆動モータとしてのスピンドルモータ２２、磁気ディスクに対して情報の書き込み、読み出しを行なう磁気ヘッド２４、磁気ディスク２０に対して磁気ヘッドを移動自在に支持したキャリッジ２６、キャリッジを回動および位置決めするボイスコイルモータ（以下ＶＣＭと称する）２８、磁気ヘッドが磁気ディスクの周縁部に移動した際、磁気ヘッドを磁気ディスクから離間した位置にアンロードして保持するランプロード機構３０、キャリッジを退避位置に保持する電磁ラッチ３２、およびヘッドＩＣ等を有する基板ユニット３４等が収納されている。
【００１６】
スピンドルモータ２２は、第１シェル１０ａに取り付けられている。スピンドルモータ２２は枢軸３６を有し、この枢軸は第１シェル１０ａの内面に固定され、この内面に対してほぼ垂直に立設されている。枢軸３６の延出端は、第２シェル１０ｂの外側からねじ込まれた固定ねじ３７により第２シェルにねじ止めされている。これにより、枢軸３６は第１および第２シェル１０ａ、１０ｂに両持ち支持されている。
【００１７】
枢軸３６には、図示しない軸受を介してロータが回転自在に支持されている。ロータの第２シェル１０ｂ側の端部は円柱形状のハブ４３を構成し、このハブには、磁気ディスク２０が同軸的に嵌合されている。ハブ４３の端部には、環状のクランプリング４４が嵌合されて、磁気ディスク２０の円周縁部を保持している。これにより、磁気ディスク２０はロータに固定され、ロータと一体的に回転可能に支持されている。
【００１８】
ロータの第１シェル１０ａ側の端部には図示しない環状の永久磁石が固定され、ロータと同軸的に位置している。スピンドルモータ２２は、第１シェル１０ａに取り付けられたステータコア、およびこのステータコアに巻回された複数のコイルを有し、これらステータコアおよびコイルは、永久磁石の外側に隙間を置いて配置されている。
【００１９】
ヘッドアクチュエータを構成するキャリッジ２６は、第１シェル１０ａの内面上に固定された軸受組立体５２を備えている。軸受組立体５２は、第１シェル１０ａの内面に対して垂直に立設された枢軸５３と、一対の軸受を介して枢軸５３に回転自在に支持された円筒形状のハブ５４と、を有している。枢軸５３の延出端は、第２シェル１０ｂの外側からねじ込まれた固定ねじ５６により第２シェルにねじ止めされている。これにより、枢軸５３は第１および第２シェル１０ａ、１０ｂに両持ち支持されている。軸受部として機能する軸受組立体５２は、スピンドルモータ２２に対し、筐体１０の長手方向に並んで配設されている。
【００２０】
キャリッジ２６は、ハブ５４から延出したアーム５８、アームの先端から延出した細長い板状のサスペンション６０、ハブ５４からアームと反対方向に延出した支持フレーム６２を備えている。サスペンション６０の延出端には、図示しないジンバル部を介して磁気ヘッド２４が支持されている。磁気ヘッド２４はサスペンション６０のばね力により磁気ディスク２０表面に向かって所定のヘッド荷重が印加されている。支持フレーム６２には、ＶＣＭ２８を構成するボイスコイル６４が一体的に固定されている。
【００２１】
キャリッジ２６を軸受組立体５２の回りで回動させるＶＣＭ２８は、第１シェル１０ａ上に固定され互いに隙間を置いて対向した一対のヨーク６３と、一方のヨークの内面に固定されボイスコイルに対向した図示しない磁石と、を備えている。ボイスコイル６４に通電することにより、キャリッジ２６は、図３に示す退避位置と磁気ディスク２０の表面上に位置する動作位置との間を回動し、磁気ヘッド２４は磁気ディスク２０の所望のトラック上に位置決めされる。第１シェル１０ａに固定された電磁ラッチ３２は、退避位置に移動したキャリッジ２６をラッチし、ＨＤＤが衝撃等の外力を受けた際、キャリッジ２６が退避位置から作動位置へ移動することを防止する。
【００２２】
ランプロード機構３０は、第１シェル１０ａの内面に固定され磁気ディスク２０の周縁部に対向したランプ部材７０と、サスペンション６０の先端から延出し係合部材として機能するタブ７２と、を備えている。ランプ部材７０は板材を折り曲げて形成され、タブ７２が係合可能なランプ面７３を有している。キャリッジ２６が磁気ディスク２０の内周部から磁気ディスク外周の退避位置まで回動すると、タブ７２は、ランプ部材７０のランプ面７３に係合し、その後、ランプ面の傾斜によって引き上げられ、磁気ヘッド２４のアンロード動作を行う。キャリッジ２６が退避位置まで回動すると、タブ７２はランプ部材７０のランプ面７３上に支持され、磁気ヘッド２４は磁気ディスク２０の表面から離間した状態に保持される。
【００２３】
基板ユニット３４は、フレキシブルプリント回路基板により形成された本体３４ａを有し、この本体３４ａは第１シェル１０ａの内面に固定されている。本体３４ａ上にはヘッドＩＣ、ヘッドアンプ等の電子部品が実装されている。基板ユニット３４は本体３４ａから延出したメインフレキシブルプリント回路基板（以下、メインＦＰＣと称する）３４ｂを有している。メインＦＰＣ３４ｂの延出端は、キャリッジ２６の軸受組立体５２近傍に接続され、更に、アーム５８およびサスペンション６０上に設けられた図示しないケーブルを介して磁気ヘッド２４に電気的に接続されている。基板ユニット３４の本体底面には制御回路基板１２と接続するためのコネクタ３４ｃが実装されている。このコネクタ３４ｃは、第１シェル１０ａに形成された開孔を介して第１シェルの実装面１１に露出している。
【００２４】
図２および図４に示すように、プリント回路基板からなる制御回路基板１２は筐体１０の実装面１１とほぼ等しい長さおよび幅を有した矩形状を有している。筐体１０の実装面１１には、スピンドルモータ２２に対応した円形の凸部７０ａ、および軸受組立体５２に対応した円形の凸部７０ｂがそれぞれ形成されている。制御回路基板１２には、これらの凸部７０ａ、７０ｂにそれぞれ対応した円形の開口７２ａ、７２ｂが形成されている。制御回路基板１２の４つの角部は、それぞれ斜めに、例えば、各辺に対して４５度の角度で斜めに切欠かれ、それぞれ切欠き部７７を形成している。制御回路基板１２の内面上、つまり、筐体１０と対向する面上には、複数の電子部品７４、およびコネクタ７１が実装されている。また、制御回路基板１２にはＨＤＤを外部機器と電気的に接続するためのフレキシブルプリント回路基板７６が接続されている。フレキシブルプリント回路基板７６は制御回路基板１２の一方の短辺から外方に引き出され、その延出端には複数の接続端子７５が形成されている。
【００２５】
上記構成の制御回路基板１２は、筐体１０の実装面１１に重ねて配置され、複数のねじにより第１シェル１０ａにねじ止めされている。この際、制御回路基板１２は、４つの辺が実装面１１の４辺とそれぞれ整列した状態、つまり、実装面１１の４辺と一致した状態で配置されている。実装面１１に形成された凸部７０ａ、７０ｂは、それぞれ制御回路基板１２の開口７２ａ、７２ｂ内に配置されている。制御回路基板１２上に実装されたコネクタ７１は、基板ユニット３４のコネクタに接続される。
【００２６】
制御回路基板１２の４つの角部に形成された切欠き部７７は、それぞれ実装面１１の４つの角部に位置している。これにより、実装面１１の４つの角部は制御回路基板１２によって覆われることなく外部に露出している。実装面１１の露出した４つの角部を含む筐体１０の角部は、制御回路基板１２に接触することなく筐体を保持するための保持部７８をそれぞれ構成している。
【００２７】
図１および図２に示すように、第２シェル１０ｂには、筐体１０内部と外部とを連通した通気孔８０が形成されている。図３および図６ないし図８に示すように、筐体１０内には、通気孔８０を通して筐体１０内に流入する外気から塵挨、湿気、ガス成分等を除去する呼吸フィルタ８２が設けられている。また、筐体１０内には、可動部の稼動によって筐体内に発生した塵埃を捕獲する循環フィルタ８５が配設されている。
【００２８】
呼吸フィルタ８２は、通気性を有しているとともに内部に収容部８３を形成した外皮８４と、収容部部内に配設され収容部内を通る流通路を規定した内チューブ８６と、収容部内で内チューブの周囲に充填された捕集剤８７と、を有している。外皮８４は、第１シェル１０ｂの内面に固定された平坦なベース部８４ａと、ベース部に固定され収容部８３を規定したカバー部８４ｂと、を有している。ベース部８４ａは例えば、ポリエステルフィルムにより形成され、カバー部８４ｂは、例えば、ポリテトフルオロエチレン等の通気性を有する材料により形成されている。外皮８４は偏平に形成されているとともに、全体としてほぼＣ字形状に形成されている。
【００２９】
内チューブ８６は、第２シェル１０ｂの通気孔８０に連通した一端、および収容部８３内に開口した排気口８１が設けられた他端とを有し、外皮８４の収容部８３内を、磁気ディスク２０の表面とほぼ平行に延びている。また、内チューブ８６は、磁気ディスク２０と同軸なほぼ円弧状に延びている。なお、内チューブ８６は通気性を有する材料で形成してもよい。
【００３０】
収容部８３内に充填された捕集剤８７として、例えば、粒子状の活性炭が用いられている。捕集剤８７としては、活性炭の他、捕獲目的に応じて、アルミナ粒、繊維状物質等を用いることができる。
【００３１】
呼吸フィルタ８２は、ベース部８４ａを第２シェル１０ｂの内面に貼付することにより第２シェルに固定され、通気孔８０を塞いでいるとともに、筐体１０内の磁気ディスク２０表面と対向している。呼吸フィルタ８２は、磁気ディスク２０の表面の内、磁気ディスクの中心部、ここでは、クランプリング４４の部分、および磁気ヘッド２４を含むキャリッジ２６の移動領域を除いた他の部分、すなわち、磁気ディスク表面の大部分と対向して配設されている。
【００３２】
筐体１０の外部から通気孔８０を通って呼吸フィルタ８２に流入した外気は、内チューブ８６内の流通路を通って流れ、排気口８１から収容部８３内に流出する。流通路を通る際、外気中の塵埃等は内チューブ８６内面に付着し捕獲される。また、収容部８３内に流出した外気は、捕集剤８７の周囲を通って流れ、その際、外気中の湿気、ガス成分が捕集剤８７によって捕獲される。そして、クリーンとなった外気は、外皮８４のカバー部８４ｂから筐体１０内に排気される。なお、内チューブ８６の排気口８１から収容部８３内に流出した外気は、収容部８３内のほぼ全域に行き渡り、カバー部８４ｂを通して筐体１０内に排気される。
【００３３】
一方、循環フィルタ８５は、収容部８３の外側で呼吸フィルタ８２のベース部８４ａに重ねて固定され、呼フィルタと一体的に構成されている。循環フィルタ８５は、例えば、平坦な三角形状に形成され、第２シェル１０ｂの角部に配設されている。循環フィルタ８５は、カバー部８４ｂに貼付された板状のベース材９０と、ベース材上に設けられた繊維状の捕獲材９２とを有している。捕獲材９２は、磁気ディスク２０の表面とほぼ平行に延びた、つまり、磁気ディスクの回転によって生じる空気流とほぼ平行に延びた捕獲面を形成している。捕獲材９２としては、例えば、ポリプロピレンにより形成されている。このように構成された循環フィルタ８５は、筐体１０内の空気流に含まれる塵埃を捕獲材９２により捕獲して保持する。
【００３４】
以上のように構成されたＨＤＤによれば、通気孔８０を通して筐体１０内に流入する外気中の塵埃、湿気、ガス成分等を循環フィルタ８５により捕獲することができるとともに、筐体１０内の空気流に含まれる塵埃を捕獲材９２により捕獲することができる。これにより、筐体１０内クリーン度を上げ、信頼性の向上を図ることが可能となる。
【００３５】
呼吸フィルタ８２は、外皮８４および外皮内に配設された内チューブ８６を有し偏平に形成されているとともに、磁気ディスク２０の表面の大部分と対向して配置されている。そのため、磁気ディスク表面と筐体内面との間のデッドスペースを有効利用して呼吸フィルタ８２を配置することができ、呼吸フィルタの大型化を図ることができる。従って、呼吸フィルタ８２の捕集剤８７の量を十分に確保し、捕獲能力の向上を図ることができ、その結果、筐体１０内のクリーン度を上げることが可能となる。
【００３６】
循環フィルタ８５は、呼吸フィルタ８２に固定され一体化されている。そのため、呼吸フィルタ８２と循環フィルタ８５とを一部品として取り扱うことができ、筐体１０内における設置スペースの削減、および組立て性の向上を図ることができる。  
以上のことから、筐体内のクリーン度が向上した小型のＨＤＤが得られる。
【００３７】
次に、この発明の第２の実施形態に係るＨＤＤについて説明する。図９および図１０に示すように、第２の実施形態によれば、循環フィルタ８５は、呼吸フィルタ８２のカバー部８４ｂ外面に固定され、収容部２３と重なって位置している。循環フィルタ８５は、ベース板を持たず、繊維状の捕獲材９２のみを有し、捕獲材９２が直接、カバー部８４ｂに固定されている。
【００３８】
捕獲材９２は、円弧状、かつ平坦に形成され、カバー部８４ｂに沿って延びている。また、捕獲材９２は、磁気ディスク２０の表面とほぼ平行に延びた、つまり、磁気ディスクの回転によって生じる空気流とほぼ平行に延びた捕獲面を形成している。捕獲材９２としては、例えば、ポリプロピレンにより形成されている。このように構成された循環フィルタ８５は、筐体１０内の空気流に含まれる塵埃を捕獲材９２により捕獲して保持する。なお、循環フィルタ８５はベース材を備えていてもよい。
【００３９】
第２の実施形態において、ＨＤＤの他の構成は前述した第１の実施形態と同一であり、同一の部分については同一の参照符号を付してその詳細な説明を省略する。そして、第２の実施形態においても、前述した第１の実施形態と同様の作用効果を得ることができる。また、循環フィルタ８５の捕獲面をより大きくし、捕獲能力の向上を図ることが可能となる。
【００４０】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
呼吸フィルタおよび循環フィルタの構成材料は、前述した実施形態に限らず、必要に応じて適宜変更可能である。磁気ディスクの枚数は１枚に限らず、必要に応じて増加可能である。ヘッドは１つに限らず必要に応じて増加可能である。磁気ディスクは、０．８５インチに限らず、１．８インチあるいは２．５インチとしてもよい。
【図面の簡単な説明】
【００４１】
【図１】図１は、この発明の第１の実施形態に係るＨＤＤを示す斜視図。
【図２】図２は、前記ＨＤＤの分解斜視図。
【図３】図３は、前記ＨＤＤの筐体および内部構造を示す平面図。
【図４】図４は、前記ＨＤＤの背面側を示す斜視図。
【図５】図５は、図１の線Ａ−Ａに沿ったＨＤＤの断面図。
【図６】図６は、前記筐体を構成する第２シェルの内面側を示す斜視図。
【図７】図７は、図６の線Ｂ−Ｂに沿った前記ＨＤＤの断面図。
【図８】図８は、図６の線Ｃ−Ｃに沿った前記ＨＤＤの断面図。
【図９】図９は、この発明の第２の実施形態に係るＨＤＤにおける第２シェルの内面側を示す斜視図。
【図１０】図１０は、図９の線Ｄ−Ｄに沿ったＨＤＤの断面図。
【符号の説明】
【００４２】
１０…筐体、  １０ａ…第１シェル、  １０ｂ…第２シェル、  １２…制御回路基板、
２０…磁気ディスク、  ２２…スピンドルモータ、  ２４…磁気ヘッド、
２６…キャリッジ、  ２８…ＶＣＭ、  ３４…基板ユニット、８２…呼吸フィルタ、
８４…外皮、  ８４ａ…ベース部、  ８４ｂ…カバー部、  ８５…循環フィルタ、
８６…内チューブ、  ８７…捕集剤、  ９０…ベース材、  ９２…捕獲材
【図１】
2006127674.tif 000003
【図２】
2006127674.tif 000004
【図３】
2006127674.tif 000005
【図４】
2006127674.tif 000006
【図５】
2006127674.tif 000007
【図６】
2006127674.tif 000008
【図７】
2006127674.tif 000009
【図８】
2006127674.tif 000010
【図９】
2006127674.tif 000011
【図１０】
2006127674.tif 000012